(57)【要約】【課題】セル間で生じる液面レベルのばらつきを少なくして、電槽の中央寄りに配置されている第３セル室及び第４セル室内の液面レベルが極端に低下した状態になるのを防止することができる鉛蓄電池を提供する。【解決手段】内部に第１ないし第６のセル室が形成された電槽１と電槽１の開口部を閉じる中蓋２Ａと、中蓋２Ａに形成された凹所２００を閉じる上蓋２Ｂとを備え、中蓋２Ａと上蓋２Ｂとの間に第１ないし第６セル室にそれぞれ対応した第１ないし第６のガス排気室が形成されている。第１ないし第３のガス排気室を外部に連通させる排気孔Ｇ3及び第４ないし第６のガス排気室を外部に連通させる排気孔Ｇ4をそれぞれ第３のガス排気室内及び第４のガス排気室内に連通させた状態で設けた。【選択図】    図２
2007165091.tif 000002
【特許請求の範囲】
【請求項１】
長手方向の一端から他端側に第１ないし第６セル室が順次並べて配置されている電槽と、前記電槽の上端に設けられた開口部を閉じるように取り付けられた中蓋と、前記中蓋の上に配置されて該中蓋に接合された上蓋とを備え、前記中蓋と上蓋との間に前記第１ないし第６セル室にそれぞれ対応する第１ないし第６のガス排気室が形成されている鉛蓄電池において、
前記第１ないし第３のガス排気室が連通させられるとともに、前記第４ないし第６のガス排気室が連通させられ、
前記第１ないし第３のガス排気室及び第４ないし第６のガス排気室に対してそれぞれ１個の排気孔が設けられ、
前記第１ないし第３のガス排気室に対して設けられた排気孔は、前記第３のガス排気室内を外部に連通させるように設けられ、
前記第４ないし第６のガス排気室に対して設けられた排気孔は、前記第４のガス排気室内を外部に連通させるように設けられていること、
を特徴とする鉛蓄電池。
【請求項２】
前記中蓋は、上方に開口した中蓋側凹所を有して、該凹所内が中蓋側仕切壁により前記第１ないし第６セル室にそれぞれ対応する第１ないし第６の中蓋側排気室に仕切られ、
前記上蓋は、下方に開口した上蓋側凹所を有して、該上蓋側凹所内が上蓋側仕切壁により前記第１ないし第６セル室にそれぞれ対応する第１ないし第６の上蓋側排気室に仕切られ、
前記上蓋は、前記中蓋側凹所の開口部を閉じるように配置されて、前記第１ないし第６の中蓋側排気室と第１ないし第６の上蓋側排気室とによりそれぞれ前記第１ないし第６のガス排気室が構成されるように、前記第１ないし第６の上蓋側仕切壁の下端がそれぞれ前記第１ないし第６の中蓋側仕切壁の上端に接合され、
前記第１ないし第３のガス排気室及び第４ないし第６のガス排気室はそれぞれ前記上蓋側仕切壁に形成された連通孔により連通させられ、
前記第３のガス排気室内及び第４のガス排気室内をそれぞれ外部に連通させる排気孔はそれぞれ前記上蓋の側面に開口するように設けられている請求項１に記載の鉛蓄電池。
【発明の詳細な説明】
【技術分野】
【０００１】
本発明は、鉛蓄電池に関し、特にその蓋の構造に関するものである。
【背景技術】
【０００２】
モノブロック式の鉛蓄電池は、内部が複数のセル室に区画された電槽と、該電槽の各セル室に電解液とともに収容された極板群と、電槽の上端開口部を閉じる蓋とを備えていて、蓋に正極端子及び負極端子が取り付けられている。鉛蓄電池においては、各セル室内のガス圧の上昇を防ぐために、各セル室内の圧力を解放し得るようにしておく必要がある。そのため、電解液の漏出を防ぎながらガスを排出し得る構造の排気栓を各セル室毎に設けたものが広く用いられていたが、各セル室毎に排気栓を設けると、各セル室内から排気栓を通して外部に排出された電解液のミストがそのまま大気中に散逸してしまうため、定期的に電解液を補給することが必要になり、メンテナンスフリー化を図ることができない。そこで、各セル室の上方にガス排気室を設けて、各セル室内から出た電解液のミストをガス排気室内に留め、ガス排気室内で液化した電解液を各セル室内に環流させるようにした鉛蓄電池が開発されている。
【０００３】
各セル室の上方にガス排気室を設けた鉛蓄電池においては、電槽の上端開口部を閉じる中蓋と、この中蓋の上に配置した上蓋とにより電槽の蓋を構成して、中蓋と上蓋との間に、各セル室に対応するガス排気室を形成している。
【０００４】
特許文献１に示されているように、一般に用いられている１２［Ｖ］の鉛蓄電池では、電槽が直方体状に形成されて、電槽内がその長手方向の一端から他端側に順次並ぶ第１ないし第６セル室に仕切られている。中蓋は、その長手方向の全体に亘って伸びるように設けられて上方に開口した中蓋側凹所をほぼ半部に有し、この凹所内が、中蓋側仕切壁により、第１ないし第６セル室にそれぞれ対応する第１ないし第６の中蓋側排気室に仕切られている。
【０００５】
また上蓋は、下方に開口した上蓋側凹所を有していて、この凹所内が、上蓋側仕切壁により、第１ないし第６セル室にそれぞれ対応する第１ないし第６の上蓋側排気室に仕切られている。上蓋は、中蓋の凹所の開口部を閉じるように配置されて、第１ないし第６の上蓋側仕切壁の下端がそれぞれ第１ないし第６の中蓋側仕切壁の上端に接合され、第１ないし第６の中蓋側排気室と第１ないし第６の上蓋側排気室とによりそれぞれ第１ないし第６のガス排気室が構成されている。
【０００６】
第１ないし第６のガス排気室は、仕切壁に設けられた連通孔を通して相互に連通させられ、第１ないし第６のガス排気室内を外部に連通させる排気孔が上蓋に形成されている。従来のこの種の鉛蓄電池では、両端の第１のガス室内及び第６のガス排気室内をそれぞれ外部に連通させるように、上蓋の長手方向の両端に排気孔が形成されていた。
【特許文献１】特開２００１−８４９８１号公報
【発明の開示】
【発明が解決しようとする課題】
【０００７】
鉛蓄電池の電解液は、充放電サイクルや、過充電の影響を受けて発熱し、その温度上昇に伴って電解液の水分の蒸発量が多くなる。電槽の両端から離れた位置に配置されている第３セル室及び第４セル室は、電槽の両端に配置された第１セル室及び第６セル室に比べて、熱がこもり易く、冷め難い傾向がある。そのため、第３セル室及び第４セル室は、他のセル室に比べて内部の温度が高くなる傾向があり、それぞれの内部の電解液の水分の蒸発量が他のセル室よりも多い傾向にある。
【０００８】
従来の鉛蓄電池のように、排気孔を電槽の上蓋の両端に配置された第１のガス排気室及び第６のガス排気室に連通させた状態で設けた場合、第３セル室及び第４セル室から発生した水蒸気の一部は、第３のガス排気室内及び第４のガス排気室内で液化してそれぞれのセル室内に環流するが、第３セル室及び第４セル室から発生した水蒸気の他の部分は、他のガス排気室へと移動した後に液化して他のセル室内に環流する。そのため、従来の鉛蓄電池では、セル室内の液面レベルの高さの順位が、第１セル室及び第６セル室＞第２セル室及び第５セル室＞第３セル室及び第４セル室の順になり、電槽の両端に近いセル室内の電解液の液面レベルに比べて、電槽の中央寄りのセル室内の電解液の液面レベルが極端に低くなることがあった。
【０００９】
図６は従来の鉛蓄電池のセル室内の電解液の液面レベルに差が生じた状態を模式的に示したもので、同図においてＡは電槽、Ｃ1ないしＣ6はそれぞれ第１ないし第６セル室、Ｅ1ないしＥ6それぞれ第１セル室Ｃ1ないし第６セル室Ｃ6内の電解液である。
【００１０】
上記のように、第３のセル室内及び第４のセル室内の電解液面レベルが低下すると、これらのセル室内で極板の上端が電解液から露出することがあるため、電池性能が低下したり、電池の寿命が短くなったりするという問題があった。
【００１１】
本発明の目的は、第１ないし第６セル室を有する電槽の蓋を中蓋と上蓋とにより構成して、中蓋と上蓋との間に電槽内の各セル室に対応するガス排気室を設けた鉛蓄電池において、第１ないし第６セル室内の電解液の液面レベルのばらつきを従来よりも少なくして、第３セル室及び第４セル室内の液面レベルが極端に低下した状態になるのを防ぐことにある。
【課題を解決するための手段】
【００１２】
本発明は、長手方向の一端から他端側に第１ないし第６セル室が順次並べて配置されている電槽と、電槽の上端に設けられた開口部を閉じるように取り付けられた中蓋と、中蓋の上に配置されて該中蓋に接合された上蓋とを備えて、中蓋と上蓋との間に第１ないし第６セル室にそれぞれ対応する第１ないし第６のガス排気室が形成されている鉛蓄電池を対象としたものである。
【００１３】
本発明においては、第１ないし第３のガス排気室が連通させられるとともに、第４ないし第６のガス排気室が連通させられ、第１ないし第３のガス排気室及び第４ないし第６のガス排気室に対してそれぞれ１個の排気孔が設けられている。第１ないし第３のガス排気室に対して設けられた排気孔は、第３のガス排気室内を外部に連通させるように設けられ、第４ないし第６のガス排気室に対して設けられた排気孔は、第４のガス排気室内を外部に連通させるように設けられている。
【００１４】
上記のように構成すると、第１のガス排気室内及び第６のガス排気室内から第２のガス排気室内及び第５のガス排気室内を経た後、第３のガス排気室内及び第４のガス排気室内を通って排気孔から外部に流出するガスの流れが生じるため、第１のガス排気室内及び第６のガス排気室内の水蒸気の一部をそれぞれ第２のガス排気室内及び第５のガス排気室内で液化して第２セル室内及び第５セル室内に流入させるとともに、第２のガス排気室内及び第５のガス排気室内の水蒸気の一部をそれぞれ第３のガス排気室内及び第４のガス排気室内で液化させて第３セル室内及び第４セル室内に流入させることができる。従って、第３セル室内及び第４セル室内に環流する水の量を、他のセル室内に環流する水の量よりも多くすることができ、温度が上昇し易く、水蒸気の発生量が多い第３セル室内及び第４セル室内の電解液の液面レベルが他のセル室内の液面レベルよりも低くなるのを防ぐことができる。
【００１５】
上記のように、本発明によれば、セル室間で生じる電解液の液面レベルのばらつきを少なくして、第３のセル室及び第４のセル室内の液面レベルが極端に低下した状態になるのを防ぐことができるため、第３のセル室及び第４のセル室内で極板の上端が電解液から露出した状態になって、電池性能が低下したり、電池の寿命が短くなったりするのを防ぐことができる。
【００１６】
本発明の好ましい態様では、上記中蓋が、上方に開口した空所を有して、該空所内が中蓋側仕切壁により第１ないし第６セル室にそれぞれ対応する第１ないし第６の中蓋側排気室に仕切られている。また上蓋は、下方に開口した凹所を有して、該凹所内が上蓋側仕切壁により第１ないし第６セル室にそれぞれ対応する第１ないし第６の上蓋側排気室に仕切られている。上蓋は、中蓋の空所の開口部を閉じるように配置され、第１ないし第６の中蓋側排気室と第１ないし第６の上蓋側排気室とによりそれぞれ第１ないし第６のガス排気室が構成されるように、第１ないし第６の上蓋側仕切壁の下端がそれぞれ第１ないし第６の中蓋側仕切壁の上端に接合されている。また第１ないし第３のガス排気室及び第４ないし第６のガス排気室がそれぞれ上蓋側仕切壁に形成された連通孔により連通させられ、第３のガス排気室内及び第４のガス排気室内をそれぞれ外部に連通させる排気孔が上蓋の側面に開口するように設けられている。
【発明の効果】
【００１７】
以上のように、本発明によれば、第１ないし第６セル室を有する電槽の蓋を中蓋と上蓋とにより構成して、中蓋と上蓋との間に第１ないし第６のセル室にそれぞれ対応する第１ないし第６のガス排気室を設けた鉛蓄電池において、第１ないし第３のガス排気室に対して設ける排気孔及び第４ないし第６のガス排気室に対して設ける排気孔をそれぞれ電槽の長手方向の中央寄りに配置された第３セル室及び第４セル室にそれぞれ連通させた状態で設けたので、第１のガス排気室内及び第６のガス排気室内から第２のガス排気室内及び第５のガス排気室内を経て第３のガス排気室内及び第４のガス排気室内に至るガスの流れを生じさせることができる。これにより、第１セル室及び第６セル室からそれぞれ発生した水蒸気の一部をそれぞれ第２のガス排気室及び第５のガス排気室内で液化して第２セル室内及び第５セル室内に流入させるとともに、第２のガス排気室内及び第５のガス排気室内の水蒸気の一部をそれぞれ第３のガス排気室内及び第４のガス排気室内で液化させて第３セル室内及び第４セル室内に流入させることができるため、第３セル室内及び第４セル室内に環流する水の量を他のセル室内に環流する水の量よりも多くすることができ、温度が上昇し易く、水蒸気の発生量が多い第３セル室内及び第４セル室内の電解液の液面レベルが他のセル室内の液面レベルよりも低くなるのを防ぐことができる。従って、本発明によれば、第３のセル室及び第４のセル室で液面の極端な低下により極板の上端が露出して、電池性能が低下したり、電池の寿命を短くなったりするのを防ぐことができる。
【発明を実施するための最良の形態】
【００１８】
以下図面を参照して本発明の実施形態を詳細に説明する。
図１は本発明に係わる鉛蓄電池の一実施形態を示した斜視図で、同図において１は直方体状に形成されて上端が開口した電槽、２は電槽１の上端の開口部を閉じる蓋である。図示してないが、電槽１の内部は、仕切壁により、その長手方向の一端から他端側に順次並ぶ第１ないし第６セル室に仕切られている。
【００１９】
蓋２は、電槽１の上端に設けられた開口部を閉じるように取り付けられた中蓋２Ａと、中蓋２Ａの上に配置されて該中蓋に接合された上蓋２Ｂとを備え、中蓋２Ａと上蓋２Ｂとの間に第１ないし第６セル室にそれぞれ対応する第１ないし第６のガス排気室が形成されている。
【００２０】
図２は、図１に示した鉛蓄電池において、中蓋２Ａから上蓋２Ｂを取り外した状態を示している。図２に示されているように、本実施形態で用いられている中蓋２Ａは、電槽１の開口部を完全に閉じることができるように、電槽１の横断面の輪郭形状と同じ矩形状の輪郭形状を有していて、電槽１の開口端の上に配置されて該電槽に溶着されている。中蓋２Ａには、上方に開口した中蓋側凹所２００が形成されている。図示の中蓋側凹所２００は、中蓋２Ａの幅方向の一端側を該中蓋の長手方向のほぼ全体に亘って伸びる帯状の部分と、この帯状の部分よりも短い長さを有して該帯状部分の側部から中蓋の幅方向の他端側に演突出した突出部とを有する扁平Ｔ字型の形状を呈するように設けられている。中蓋側凹所２００内は、中蓋の幅方向に伸びる５つの中蓋側仕切壁２０１により、電槽１内の第１ないし第６セル室にそれぞれ対応する第１ないし第６の中蓋側排気室Ｄ11ないしＤ61に仕切られている。中蓋２Ａの凹所２００が設けられた部分以外の部分には、平坦な上表面を有する天井部２０２が形成されていて、この天井部２０２の上表面と中蓋側凹所２００の開口端との間には、上蓋２Ｂの高さに相当する段差２０３が形成されている。天井部２０２の長手方向の両端には正極端子３及び負極端子４が取り付けられている。
【００２１】
中蓋側排気室Ｄ11ないしＤ61のそれぞれの底部には、中蓋側排気室Ｄ11ないしＤ61の長手方向の一端側（中蓋２Ａの幅方向の一端側）に位置させた状態で、電槽内の第１セル室ないし第６セル室にそれぞれ連通した円筒状の電解液注入口Ｈ1ないしＨ6が形成されている。中蓋排気室Ｄ11ないしＤ61のそれぞれの底部にはまた、中蓋側排気室Ｄ11ないしＤ61の長手方向の他端側に位置させた状態で、それぞれの排気室内と対応するセル室内とを連通させる流通孔ｈ1ないしｈ6が形成されている。流通孔ｈ1ないしｈ6は、電槽内の対応するセル室からのガスの排出と、対応するセル室内への液分の環流とを行わせるための孔で、流通孔ｈ1ないしｈ6の近傍には、液分の環流を容易にするための傾斜面２０４が形成されている。中蓋側排気室Ｄ11ないしＤ61内にはまた、連通孔ｈ1ないしｈ6から排出された電解液のミストが中蓋側排気室Ｄ11ないしＤ61の一端側に移動するのを妨げるための障壁部２０５が形成され、各障壁部２０５には、ガスの通過を許容するためにスリットが形成されている。
【００２２】
図３に示したように、上蓋２Ｂは、中蓋側凹所２００の輪郭形状と同様に扁平Ｔ字形の輪郭形状を有していて、中蓋側凹所２００の開口端を閉じるために、中蓋側凹所２００の開口端の上に配置される。上蓋２Ｂは、下方に開口した上蓋側凹所２１０を有し、この上蓋側凹所２１０内は、中蓋に設けられた５つの仕切り壁２０１にそれぞれ対応するように設けられた５つの上蓋側仕切壁２１１により、電槽１内の第１ないし第６セル室にそれぞれ対応する第１ないし第６の上蓋側排気室Ｄ12ないしＤ62に仕切られている。
【００２３】
第１ないし第６の上蓋側排気室Ｄ12ないしＤ62内の天井部には、該排気室の長手方向の一端側（上蓋２Ｂの幅方向の一端側）に位置させた状態で、円筒状の突起Ｐ1ないしＰ6が形成されている。突起Ｐ1ないしＰ6は、上蓋２Ｂが中蓋２Ａの凹所２００を塞ぐように取り付けられた際に、それぞれの下端が中蓋２Ａに設けられた電解液注入口Ｈ1ないしＨ6の上端開口部に突き合わされて、電解液注入口Ｈ1ないしＨ6を塞ぐように設けられている。第１ないし第６の上蓋側排気室Ｄ12ないしＤ62内にはまた、中蓋の障壁部２０５に対応する障壁部２１２が形成されている。
【００２４】
また上蓋２Ｂに設けられた各仕切り壁２１１には、上蓋２Ｂの幅方向の一端側に位置させた状態で切欠きからなる連通孔２１３が形成され、この連通孔により、上蓋側排気室Ｄ12ないしＤ62が相互に連通させられている。中蓋の流通孔ｈ1ないしｈ6から排出されたミストが隣接の排気室内に直接移動するのを防ぐため、連通孔２１３は、上蓋２Ｂの流通孔ｈ1ないしｈ6に対向する部分から離れた位置に（上蓋の幅方向の一端側に）形成されている。
【００２５】
本発明においては、上蓋２Ｂに形成された第３の上蓋側排気室Ｄ32内及び第４の上蓋側排気室Ｄ42内を外気に連通させるように排気孔Ｇ3及びＧ4が形成される。図示の例では、上蓋２Ｂの幅方向の一端側の側壁の、第３の上蓋側排気室Ｄ32及び第４の上蓋側排気室Ｄ42の内側に位置する部分にそれぞれ円筒状のフィルタ収容部Ｆ3及びＦ4が形成され、これらのフィルタ収容部内を外部に連通させるように、上蓋２Ｂの幅方向の一端側の側壁を貫通させて、排気孔Ｇ3及びＧ4が形成されている。フィルタ収容部Ｆ3及びＦ4内には硫酸のミストが外部に排出されるのを阻止するためのフィルタが収容されている。
【００２６】
本実施形態の鉛蓄電池を組み立てる際には、電槽１内の各セル室内に極板群を収容し、セル間を接続した後、中蓋２Ａを電槽の開口部の上に載せて、中蓋２Ａと電槽１との突き合わせ部を溶着する。次いで、電解液注入口Ｈ1ないしＨ6から各セル室内に電解液を注入し、上蓋２Ｂを中蓋２Ａの凹所の開口端の上に載せて、上蓋２Ｂの突起Ｐ1ないしＰ6と電解液注入口Ｈ1ないしＨ6との突き合わせ部、上蓋側仕切壁２１１の下端と中蓋側仕切壁２０１の上端との突き合わせ部、障壁部２１２と２０５との突き合わせ部及び中蓋側凹所２００の周縁部と上蓋２Ｂの周縁部との突き合わせ部をそれぞれ溶着して、上蓋２Ｂを中蓋２Ａに取り付ける。
【００２７】
上記のように上蓋２Ｂを中蓋２Ａに取り付けた状態で、第１ないし第６の中蓋側排気室Ｄ11ないしＤ61と第１ないし第６の上蓋側排気室Ｄ12ないしＤ62とによりそれぞれ第１ないし第６のガス排気室が構成される。第１ないし第６のガス排気室は上蓋２Ｂに設けられた連通孔２１３を通して連通させられている。また第３のガス排気室及び第４のガス排気室がフィルタ収容部Ｆ3及びＦ4内と排気孔Ｇ3及びＧ4とを通して外部に連通させられている。本実施形態において、排気孔Ｇ3は、第１ないし第３のガス排気室に対して設けられており、排気孔Ｇ4は第４ないし第６のガス排気室に対して設けられている。
【００２８】
即ち、本発明においては、第１ないし第３のガス排気室及び第４ないし第６のガス排気室がそれぞれ連通させられるとともに、第１ないし第３のガス排気室に対して１個の排気孔Ｇ3が設けられ、第４ないし第６のガス排気室に対して１個の排気孔Ｇ4が設けられている。また第１ないし第３のガス排気室に対して設けられた排気孔Ｇ3は、第３のガス排気室内を外部に連通させるように設けられ、第４ないし第６のガス排気室に対して設けられた排気孔Ｇ4は、第４のガス排気室内を外部に連通させるように設けられている。
【００２９】
図７は、従来の鉛蓄電池で用いられていた上蓋２Ｂ′を示している。この上蓋においては、上蓋２Ｂ′の長手方向の両端に配置された排気室Ｄ12及びＤ62内にフィルタ収容部Ｆ1及びＦ6が設けられて、これらのフィルタ収容部内を外部に連通させる排気孔Ｇ1及びＧ6が、上蓋の長手方向の両端の側壁を貫通させた状態で設けられていた。このように、排気孔Ｇ1及びＧ6を電槽の両端に配置された第１セル室及び第６セル室に連通させた状態で設けた場合、第３セル室及び第４セル室から発生した水蒸気の一部は第３のガス排気室内及び第４のガス排気室内で液化してそれぞれのセル室内に環流するが、第３セル室及び第４セル室から発生した水蒸気の他の部分は、他のガス排気室へと移動した後に液化して他のセル室内に環流する。そのため、従来の鉛蓄電池では、図６に示したように、セル室内の液面レベルの高さの順位が、第１セル室及び第６セル室＞第２セル室及び第５セル室＞第３セル室及び第４セル室の順になり、電槽の両端に近いセル室内の電解液の液面レベルが、電槽の中央寄りのセル室内の電解液の液面レベルよりも高くなる。
【００３０】
これに対し、本発明のように構成すると、第１のガス排気室内から第２のガス排気室内を経た後、第３のガス排気室内を通って排気孔Ｇ3から外部に流出するガスの流れと、第６のガス排気室内から第５のガス排気室内を経た後、第４のガス排気室内を通って排気孔Ｇ4から外部に流出するガスの流れとを生じさせることができるため、第１のガス排気室内及び第６のガス排気室内の水蒸気の一部をそれぞれ第２のガス排気室内及び第５のガス排気室内で液化して第２セル室内及び第５セル室内に流入させるとともに、第２のガス排気室内及び第５のガス排気室内の水蒸気の一部をそれぞれ第３のガス排気室内及び第４のガス排気室内で液化させて第３セル室内及び第４セル室内に流入させることができる。即ち、第３のセル室及び第４のセル室には、第１のセル室及び第６のセル室で発生した水蒸気の一部と、第２のセル室及び第５のセル室で発生した水蒸気の一部とが液化して環流されることになり、第３セル室内及び第４セル室内に環流する水の量は、他のセル室内に環流する水の量よりも多くなる。従って、本発明によれば、温度が上昇し易く、水蒸気の発生量が多い第３セル室内及び第４セル室内の電解液の液面レベルが他のセル室内の液面レベルよりも低くなるのを防ぐことができ、第３セル室内及び第４セル室内で液面の極端な低下が生じて、電池性能が低下したり、電池の寿命が短くなったりするのを防ぐことができる。
【００３１】
本発明の効果を確認するため、上記の実施形態の構成を有する鉛蓄電池と、図７に示すように、第１の上蓋側排気室Ｄ12及び第６の上蓋側排気室Ｄ62にそれぞれフィルタ収容部Ｆ1及びＦ2と排気孔Ｇ1及びＧ6とを設けた上蓋２Ｂ′を備えた従来の鉛蓄電池とに対して、７５℃軽負荷寿命試験を行なった。
【００３２】
この試験では、電池の周囲温度を７５℃（気槽）として、25±0.05［Ａ］の放電電流にて４分間放電し、充電電圧14.8±0.03［Ｖ］（制限電流２５Ａ）で１０分間充電行なうことを１サイクルとして、４８０サイクル毎に５６時間放電を行ない、３０秒目電圧が7.2［Ｖ］となった時点で寿命が尽きたと判定した。寿命が尽きた後の減液量を従来の電池と本発明に係わる電池とについて比較した結果を図５に示した。図５に示した図表中の数値は、電解液の基準レベルと、電解液の実際の液面レベルとの差［mm］を示している。
【００３３】
図５に示された結果から、本発明に係わる鉛蓄電池では、従来の鉛蓄電池に比べて、セル間で生じる電解液の液面レベルのばらつきが少ないことが分かる。
【００３４】
上記の実施形態では、第３の上蓋側排気室Ｄ32と第４の上蓋側排気室Ｄ42との間の隔壁２１１にも連通孔２１３を設けて、これらの排気室Ｄ32及びＤ42を相互に連通させているが、図４に示したように、第３の上蓋側排気室Ｄ32と第４の上蓋側排気室Ｄ42との間の隔壁２１１に連通孔を設けずに、これらの排気室間を完全に仕切るようにしてもよい。
【００３５】
上記の実施形態では、排気孔Ｇ3及びＧ4を上蓋２Ｂの側面に開口させているが、これらの排気孔を上蓋の上面に開口させることもできる。
【図面の簡単な説明】
【００３６】
【図１】本発明の実施形態の外観を示した斜視図である。
【図２】図１の鉛蓄電池の上蓋を外した状態を示した斜視図である。
【図３】図１の鉛蓄電池で用いる上蓋の拡大断面図である。
【図４】図１の鉛蓄電池で用いる上蓋の変形例を示した拡大断面図である。
【図５】本発明の効果を確認するために行なった７５℃軽負荷寿命試験の結果を示す図表である。
【図６】従来の鉛蓄電池においてセル間で生じていた液面レベルのばらつきを説明するための模式図である。
【図７】従来の鉛蓄電池で用いられていた上蓋の断面図である。
【符号の説明】
【００３７】
１  電槽
２  蓋
２Ａ  中蓋
２００  中蓋側凹所
２０１  中蓋側仕切壁
Ｄ11ないしＤ61  第１〜第６の中蓋側排気室
２Ｂ  上蓋
２１０  上蓋側凹所
２１１  上蓋側仕切壁
２１３  連通孔
Ｄ12ないしＤ62  第１ないし第６の上蓋側排気室
Ｇ3，Ｇ4  排気孔
【図１】
2007165091.tif 000003
【図２】
2007165091.tif 000004
【図３】
2007165091.tif 000005
【図４】
2007165091.tif 000006
【図５】
2007165091.tif 000007
【図６】
2007165091.tif 000008
【図７】
2007165091.tif 000009